(57)【特許請求の範囲】
【請求項１】
脱穀部と、該脱穀部で処理された処理物を選別する揺動選別体と、該揺動選別体から二番樋に落下した処理物を、脱穀処理胴が回転自在に収容された処理室に還元する還元物搬送体とを備えており、前記脱穀処理胴は、らせん、処理刃及び放出羽根が回転中心線方向に順次設けられているコンバインにおいて、前記処理室は、前記脱穀処理胴のらせんが前記脱穀部の前側となり、且つ前記放出羽根が前記脱穀部の後側となるように前記還元物搬送体と前記揺動選別体との間に配置されており、前記還元物搬送体は、前記処理室の始端側に連通する先側投入口及び前記処理室の終端側上部にシャッタを介して連通する元側投入口を有しており、前記処理室の終端側下部に前記揺動選別体上に開口する排出口を設けてあることを特徴するコンバイン。
【発明の詳細な説明】
【０００１】
【発明の属する技術分野】
本発明は還元処理装置を備えるコンバイン、詳しくは、脱穀部で処理された後、揺動選別体を経て二番樋に落下した処理物を還元して処理する還元処理装置を備えるコンバインに関する。
【０００２】
【従来の技術】
従来、コンバインにあっては、実開昭６４ー１３９３９号公報に記載されているように、脱穀部の扱胴と平行状の脱穀処理胴をもつ処理室と、脱穀部で処理された後、揺動選別体を経て二番樋に落下した処理物を前記処理室の始端側に還元する還元物搬送体とを備え、二番樋の処理物を前記脱穀処理胴で再処理するようにした還元処理装置が設けられている。
【０００３】
【発明が解決しようとする課題】
ところが、従来の還元処理装置は、前記二番樋の処理物を処理室の始端側にのみ還元するように構成されているため、例えば二番樋の処理物が少なくなるような作物とか、或は再処理すると弊害になるような作物の場合でも、脱穀処理胴で必ず再処理されることになる不具合があった。
【０００４】
本考案は、脱穀処理する作物の種類等に応じて再処理する場合と、再処理しない場合とに簡易に選択することができるようにすることを主たる目的とする。
【０００５】
【課題を解決するための手段】
本発明は、上記目的を達成するために、脱穀部と、該脱穀部で処理された処理物を選別する揺動選別体と、該揺動選別体から二番樋に落下した処理物を、脱穀処理胴が回転自在に収容された処理室に還元する還元物搬送体とを備えており、前記脱穀処理胴は、らせん、処理刃及び放出羽根が回転中心線方向に順次設けられているコンバインにおいて、前記処理室は、前記脱穀処理胴のらせんが前記脱穀部の前側となり、且つ前記放出羽根が前記脱穀部の後側となるように前記還元物搬送体と前記揺動選別体との間に配置されており、前記還元物搬送体は、前記処理室の始端側に連通する先側投入口及び前記処理室の終端側上部にシャッタを介して連通する元側投入口を有しており、前記処理室の終端側下部に前記揺動選別体上に開口する排出口を設けてあることを特徴とする。
【０００６】
【発明の作用効果】
本発明では、シャッタを閉じることにより、元側投入口から処理室の終端側への連通路を遮断して、二番樋の処理物を、還元物搬送体の先側投入口から処理室の始端側に還元できるから、この処理室内の脱穀処理胴で再処理することができる。また、シャッタを開くことにより、二番樋の処理物を、元側投入口から処理室の終端側に還元できるから、この処理室内の脱穀処理胴で再処理することなく、処理室の終端側排出口から揺動選別体の上方に還元できるのである。従って、二番樋に落下する処理物の量が多くて再処理する必要がある作物の場合は、前記シャッタを閉じることにより、処理室の始端側に還元して再処理することができるのであり、また、二番樋の処理物が少なくなるような作物とか、或は再処理すると弊害になるような作物の場合には、前記シャッタを開くことにより、処理室の終端側に還元して再処理することなく、揺動選別体で再選別することができるのである。
【０００７】
【発明の実施形態】
図１は、還元処理装置を備える汎用形コンバインを示している。このコンバインは、クローラから成る左右の走行装置１０１により走行可能に支持された機体１の前部に、油圧昇降装置１０２により昇降可能な刈取装置１０３と、該刈取装置１０３により刈取られた穀稈を後方の脱穀室２に搬送する搬送コンベア１０４をもつフィーダハウス１０５とを支持すると共に、機体１上に、前記脱穀室２と該脱穀室２に搬送された穀稈を脱穀する回転自在のスクリュー形扱胴３とをもつ脱穀部Ａと、前記扱胴３の回転で脱穀された穀粒を選別する前後に揺動自在の揺動選別体４と、この揺動選別体４の揺動で選別処理された穀粒を貯溜する穀粒タンクとを搭載し、この穀粒タンクの前方に運転席をもつ運転部を、また、後方にエンジンをそれぞれ配置している。
【０００８】
前記脱穀室２の底部には、扱胴３の外周に沿って延びるクリンプ網５を配設している。
【０００９】
前記揺動選別体４は、前記機体１に対し揺動自在に支持されるのであって、前部側のフィードパン４１と該フィードパン４１の後方側で前後に離隔する前チャフシーブ４２及び後チャフシーブ４３と、前チャフシーブ４２の下方に配置するグレンシーブ４４とを備えている。そして、この揺動選別体４におけるグレンシーブ４４の下方に、一番コンベヤ１１を備えた一番樋１２を、また、後チャフシーブ４３の下方に二番コンベヤ１３を備えた二番樋１４をそれぞれ配設すると共に、前記フィードパン４１の下方に選別ファン１５を設けて、前記扱胴３により脱穀処理され、揺動選別体４の前後チャフシーブ４２，４３及びグレンシーブ４４に供給された処理物を、前記選別ファン１５から吹出される選別風により選別処理して、一番物は一番樋１２からグレンタンク内に収納し、二番物は二番樋１４から還元物搬送体６により還元するようにしている。
【００１０】
前記還元物搬送体６と揺動選別体４との間には、前記扱胴３と平行状に延びる脱穀処理胴７をもつ処理室８を配設し、この処理室８の始端側上部に二番還元物の第１受入口８１を、また終端側上部に二番還元物の第２受入口８２を、さらにこの第２受入口８２の下方部に排出口８３を設けて、この排出口８３を揺動選別体４上に開口させている。
【００１１】
前記脱穀処理胴７は、その始端側外周にらせん７１を、中間部外周に処理刃７２を、終端側外周に放出羽根７３をそれぞれもち、また、処理室８における前記処理刃７２との対応位置には切刃８４を設けている。
【００１２】
また、還元物搬送体６は、スクリュ形のコンベア６１と、該コンベア６１を回転自在に内装支持する搬送筒６２と、前記コンベア６１の上端部に設ける放出羽根６３とを備え、前記搬送筒６２の長さ方向中間部一側に元側投入口６４を、また、先端部一側に先側投入口６５をそれぞれ設けて、この先側投入口６５を、上下方向に延びる先側連通路６６を介して処理室８始端側の第１受入口８１に連通させると共に、元側投入口６４を、上下方向に延びる後側連通路６７を介して処理室８終端側の第２受入口８２に連通させて、元側投入口６４から還元される処理物を前記脱穀処理胴７の放出羽根７３により前記排出口８３に送るようにする一方、搬送筒６２の長さ方向中間部外周に、前記元側投入口６４を開閉するシャッタ９を周方向にスライド自由に保持している。
【００１３】
このシャッタ９は、円筒状に形成して、その両端間の一側に、前記元側投入口６４に対応する窓孔９１を設け、他側に摘み９２を設け、この摘み９２を摘んで周方向にスライドさせることにより、前記窓孔９１の元側投入口６４に対する位置を変え、この元側投入口６４を開閉するようにしている。
【００１４】
以上の構成において、二番樋１４に落下する処理物の量が多くて再処理する必要がある稲などの作物の場合、前記シャッタ９をスライドさせて元側投入口６４を閉じると、元側投入口６４から処理室８終端側への後側連通路６７が遮断され、二番樋１４の処理物を、還元物搬送体６の先側投入口６５から先側連通路６６を経て処理室８始端側の第１受入口８１に還元できる。従って、この処理室８内の脱穀処理胴７で再処理することができ、この再処理した後の処理物は排出口８３から揺動選別体４上に排出して、チャフシーブ４２，４３及びグレンシーブ４４により再選別できるのである。また、二番樋の処理物が少なくなるような作物とか、或は再処理すると弊害になるような作物の場合、前記シャッタ９をスライドさせて元側投入口６４を開くと、二番樋１４の処理物を、元側投入口６４から処理室８終端側の第２受入口８２に還元できる。この第２受入口８２と排出口８３との間の処理室８内には脱穀処理胴７の放出羽根７３部が配置されているだけだから、第２受入口８２に還元された処理物を、処理室８内の脱穀処理胴７でほとんど再処理することなく、処理室８の終端側排出口８３から揺動選別体４の上方に還元して、チャフシーブ４２，４３及びグレンシーブ４４により再選別できるのである。
【００１５】
以上のように、二番樋１４に落下する処理物の量が多くて再処理する必要がある稲などの作物の場合には、処理室８の始端側に還元して脱穀処理胴７で再処理するから、例えば扱室２内での処理程度を、扱室２内に設ける送塵弁（図示せず）とか、前記クリンプ網５とかにより調整して軽減させ、この軽減分を処理室８で補うように構成することができるので、扱室２及び処理室８を含む全体としての処理能力を高めることが可能である。
【図面の簡単な説明】
【図１】本発明コンバインにおける還元処理装置をもつ簡略的な側面図。
【図２】同還元処理装置の縦断側面図。
【図３】同還元処理装置のシャッタを閉じた状態の説明図。
【図４】同１の簡略的側面図。
【符号の説明】
Ａ    脱穀部
４    揺動選別体
６    還元物搬送体
６４    元側投入口
６５    先側投入口
７    脱穀処理胴
８    処理室
８３    排出口
９    シャッタ
設
【図１】
0003688059.tif 000002
【図２】
0003688059.tif 000003
【図３】
0003688059.tif 000004
【図４】
0003688059.tif 000005